(57)【要約】【課題】プラテンガラス３２に付着したゴミや汚れ等の異物及び原稿サイズを迅速かつ正確に認識することを可能とする。【解決手段】原稿が載置されるプラテンガラス３２の少なくとも一部を上方から覆うように配置された搬送ローラ３３ｃ等からなる照明背景体の反射表面を、色料（絵の具）の三原色のいずれか一色により着色し、カラー読取手段３１により読み取った色分解データのうちの補色に関する色分解データに基づいてプラテンガラス３２上の異物又は原稿端を検知する変位領域識別手段を設けたもの。【選択図】図４
2008113309.tif 000002
【特許請求の範囲】
【請求項１】
原稿が載置されるプラテンガラスの少なくとも一部を上方から覆うように配置された照明背景体と、その照明背景体の反射表面で反射された走査光を色分解データとして読み取るカラー読取手段と、を備えた原稿読取装置において、
前記照明背景体の反射表面が、色料の三原色のいずれか一色により着色されているとともに、
前記カラー読取手段により読み取れられた前記照明背景体の色分解データのうち、前記照明背景体の反射表面に着色された一色に対する補色に関する色分解データに基づいて、前記プラテンガラス上の異物又は原稿端を検知する変位領域識別手段が設けられていることを特徴とする原稿読取装置。
【請求項２】
前記照明背景体の光照射側の表面が、色料の三原色のうちのイエローにより着色され、
前記変位領域識別手段は、赤及び緑の色分解データに基づいて黒色の異物を識別するとともに、青の色分解データに基づいて白色の異物を識別するように構成されていることを特徴とする請求項１記載の原稿読取装置。
【請求項３】
前記照明背景体の光照射側の表面が、色料の三原色のうちのイエローにより着色され、
前記変位領域識別手段は、赤及び緑の色分解データと、青の色分解データとを比較することによって原稿端を検知するように構成されていることを特徴とする請求項１記載の原稿読取装置。
【請求項４】
前記カラー読取手段は、光源から発せられた白色走査光の反射光を色分解するカラーフィルターを備えていることを特徴とする請求項１記載の原稿読取装置。
【請求項５】
前記カラー読取手段は、光の三原色に相当する走査光を順次に発光する光源を備えていることを特徴とする請求項１記載の原稿読取装置。
【請求項６】
前記照明背景体の光照射側の表面が、色料の三原色のうちのマゼンタにより着色され、
前記変位領域識別手段は、赤及び青の色分解データに基づいて黒色の異物を識別するとともに、緑の色分解データに基づいて白色の異物を識別するように構成されていることを特徴とする請求項１記載の原稿読取装置。
【請求項７】
前記照明背景体の光照射側の表面が、色料の三原色のうちのマゼンタにより着色され、
前記変位領域識別手段は、赤及び青の色分解データと、緑の色分解データとを比較することによって原稿端を検知するように構成されていることを特徴とする請求項１記載の原稿読取装置。
【請求項８】
前記照明背景体の光照射側の表面が、色料の三原色のうちのシアンにより着色され、
前記変位領域識別手段は、緑及び青の色分解データに基づいて黒色の異物を識別するとともに、赤の色分解データに基づいて白色の異物を識別するように構成されていることを特徴とする請求項１記載の原稿読取装置。
【請求項９】
前記照明背景体の光照射側の表面が、色料の三原色のうちのシアンにより着色され、
前記変位領域識別手段は、緑及び青の色分解データと、赤の色分解データとを比較することによって原稿端を検知するように構成されていることを特徴とする請求項１記載の原稿読取装置。
【請求項１０】
請求項１乃至請求項９のいずれかに記載された原稿読取装置を備えたことを特徴とする画像形成装置。
【発明の詳細な説明】
【技術分野】
【０００１】
本発明は、複写機などにおいて原稿を読み取るために設けられた原稿読取装置及びそれを用いた画像形成装置に関する。
【背景技術】
【０００２】
一般に、原稿に記載された画像を読み取るように構成された原稿読取装置は、複写機などの画像形成装置等において広く用いられている。例えばドキュメントフィーダ（自動原稿給紙装置）を装備した複写機で行われる、いわゆる流し読みにおいては、ドキュメントフィーダに複数枚の原稿がセットされて自動的に１枚ずつ搬送され、プラテンガラス上の固定位置で画像の読み取りが行われる。ところが、その読み取り位置にゴミや汚れ等の異物が付着していると、それに対応した画素が常に異物の読み取りデータとなってしまう。そして、輝度の低い異物の場合には、副走査方向に延びる黒いラインとなり、輝度の高い異物の場合には、副走査方向に延びる白いラインとなって画像形成が行われる。このような形成画像を何ら補正することなくプリンタ出力を行うと、原稿には存在していなかった黒又は白のラインが形成されてしまうこととなる。
【０００３】
上述した問題点に対して下記の特許文献１に開示された装置では、明るいグレーに着色されたプラテンローラが照明背景体として設けられており、そのプラテンローラの反射表面についての読み取り画像データの輝度を基準として、輝度の高い異物と、輝度の低い異物とを区別するように検知可能とし、それによってゴミや汚れ等の異物が付着している旨の警告表示を行う構成になされている。
【０００４】
しかしながら、読み取り時の照明背景体となるプラテンローラと同じ輝度の異物、例えば再生紙などのように輝度が同程度の紙紛などが読取位置に付着している場合には、異物と判別することができなくなってしまう。また、異物の濃度を白色として判断するように画像読み取りのガンマ値を設定した場合には、階調性を維持できなくなるおそれが発生する。さらに、原稿の紙質や厚さによってはプラテンローラ自体の色が原稿を透過してしまい、原稿全体の地肌が本来のものより黒っぽい画像となって読み取られてしまうおそれもある。
【０００５】
一方、原稿読取装置により原稿を読み取る際に、原稿のサイズを検出することも従来から行われている。そのときの原稿サイズを検出する手段としては、フォトインタラプタなどによって原稿幅を読み取るものが一般的な構造となっており、搬送路に配置されたインタラプタ型センサにより原稿長が読み取られ、それらのセンサの検知結果に基づいて原稿サイズの検知が行われるようになっている。しかしながら、従来における原稿サイズ検出手段では、定形サイズの原稿しか検出を行うことができず、非定形サイズの原稿サイズを検出することができないという問題がある。
【０００６】
このような問題点を解消するものとして、例えば特許文献２及び３のように、原稿読取位置に配置された読取手段と対向するように均一濃度の基準部材を設け、その基準部材と原稿との濃度差から原稿端部を検出し、それによって原稿サイズの検出を行なうようにしたものが提案されているが、原稿読取位置と基準部材との間で読取手段を移動させることが必要となるために読取時間が増大するという問題がある。
【０００７】
【特許文献１】特開２００３−１４８１５２号公報
【特許文献２】特開平７−１４３２９０号公報
【特許文献３】特開２００５−６５１２８号公報
【発明の開示】
【発明が解決しようとする課題】
【０００８】
そこで、本発明の目的は、プラテンガラスに付着したゴミや汚れ等の異物や原稿サイズを良好かつ効率的に認識することができるようにした原稿読取装置及びそれを用いた画像形成装置を提供することにある。
【課題を解決するための手段】
【０００９】
上記目的を達成するため本発明では、原稿が載置されるプラテンガラスの少なくとも一部を上方から覆うように配置された照明背景体と、その照明背景体の反射表面で反射された走査光を色分解データとして読み取るカラー読取手段と、を備えた原稿読取装置において、前記照明背景体の反射表面が、色料の三原色（イエロー（Ｙ）、シアン（Ｃ）、マゼンタ（Ｍ））のいずれか一色により着色されているとともに、前記カラー読取手段により読み取れられた前記照明背景体の色分解データのうち、前記照明背景体の反射表面に着色された一色に対する補色（青、赤、緑）に関する色分解データに基づいて、前記プラテンガラス上の異物又は原稿端を検知する変位領域識別手段が設けられている。
【００１０】
このような構成を有する本発明によれば、プラテンガラス上の異物又は原稿の端部に関して、照明背景体の着色の補色の色分解データが、その他の色分解データとは異なる輝度分布を呈することを利用して異物検知及び原稿端検知が行われ、そのときの照明背景体の反射表面が、色料の三原色のいずれか一色という通常のゴミ等の異物や原稿の色とは異なる色で着色されているため、通常の異物や原稿であれば異物検知及び原稿端検知が迅速かつ正確に実行されるようになっている。
【発明の効果】
【００１１】
以上述べたように本発明は、原稿が載置されるプラテンガラスの少なくとも一部を上方から覆うように配置された照明背景体の反射表面を、色料の三原色（イエロー（Ｙ）、シアン（Ｃ）、マゼンタ（Ｍ））のいずれか一色により着色し、カラー読取手段により読み取った色分解データのうちの補色（青、赤、緑）に関する色分解データに基づいてプラテンガラス上の異物又は原稿端を検知する変位領域識別手段を設けたものであるから、プラテンガラスに付着したゴミや汚れ等の異物及び原稿サイズを迅速かつ正確に認識することができ、原稿読取装置の信頼性を低廉かつ大幅に向上させることできる。
【発明を実施するための最良の形態】
【００１２】
以下、本発明の実施形態を図面に基づいて詳細に説明することとするが、それに先立って、本発明を適用する画像形成装置としてのデジタル複写機の実施形態を示す。ここで、デジタル複写機とは、画像形成部（プリンタ部）に、画像読み取りのためのスキャナやＦＡＸやＬＡＮを介して通信を行なうための通信機能などを備えた装置である。以下の実施形態では、記録方式は電子写真方式であるものとする。
【００１３】
図１は、本発明を採用したデジタル複写機のハードウェア構成の概略を示したものである。本図に示されている電子写真方式を採用したデジタル複写機は、いわゆる胴内排紙方式と呼ばれる構成が採用されたものであって、略直方体の装置筐体からなる装置本体１の上方部分に排紙部２を介して画像読取装置３が設けられている。
【００１４】
上記画像読取装置３の内部には、走査光学装置を構成するカラー読取手段としてのカラースキャナ（ＣＩＳユニット）３１が設けられているとともに、そのカラースキャナ３１の上部には、前記画像読取装置３の上端面部にプラテンガラス３２が配置されている。そして、前記カラースキャナ３１の内部には、前記プラテンガラス３２上に載置された原稿（不図示）に走査光を照射するための照明ランプ３１ａと、上記原稿の表面から反射された走査光を受光して画像データを読み取るイメージセンサ（ＣＣＤ）３１ｂとが設けられている。
【００１５】
上記画像読取装置３の詳細な構造については発明の要部として後述することとするが、当該画像読取装置３には、ユーザーが操作する操作部（図示省略）などが設けられているとともに、上記プラテンガラス３２を含む上面部を覆うようにして自動原稿給紙ユニット（ＡＤＦ）３３が開閉自在に設けられている。自動原稿給紙ユニット３３は、上記カラースキャナ３１の照明ランプ３１ａを所定の位置に停止させてプラテンガラス３２上に原稿を搬送させながら読み取りを行う流し読み（シートスルー）用の原稿送り部（ＤＦ）３３ａと、プラテンガラス３２上の所定の位置に載置された原稿を、前記カラースキャナ３１を移動させながら読み取りを行う際に原稿を押さえる原稿押圧板３３ｂとから構成されている。
【００１６】
さらに、上記カラースキャナ（走査光学装置）３１を備えた画像読取装置３の下方側には、上述した胴内排紙方式による排紙部２が設けられているとともに、その排紙部２を介してさらに下方側には、前記装置本体１の内部に画像形成部（プリンタ部）５及び給紙部６が積層状に配置されている。
【００１７】
画像形成部（プリンタ部）５は、図示時計回りに回転する像担持体としての感光ドラム５１を有しているとともに、その感光ドラム５１の周辺に、回転方向に沿って当該感光ドラム５１を一様に帯電させる帯電器５２、上記カラースキャナ３１からの画像情報を変調して上記感光ドラム５１に走査光を露光して静電潜像を形成するレーザー発光器５３、感光ドラム５１上に形成された静電潜像にトナーを供給して顕像化してトナー画像を形成する現像装置５４、紙搬送経路の途中に配置されて上記感光ドラム５１上のトナー画像を記録媒体である用紙側に転写させる転写手段である転写ローラ５５、転写後に感光ドラム５１に残留するトナーを除去・回収して排出するクリーニング装置５６等が順次配置されている。
【００１８】
さらに、上記転写ローラ５５の上方側に配置された前記排紙部２に向かって延びる用紙搬送路には、用紙上のトナー画像を熱的に溶融して固定させる定着器５７が配置されており、この定着器５７の出口部から上方側に向かって延出する用紙搬送路が上述した排紙部２に接続されている。
【００１９】
また、上述したように前記画像形成部（プリンタ部）５の下方側には、規定のサイズに裁断された用紙等のシート状記録媒体を給送する給紙部６が配置されている。その給紙部６には、カット記録媒体である用紙をサイズごとに蓄える給紙カセット６１が複数段にわたって重合するように配置されており、装置本体１に対して夫々着脱自在となるように装着されている。
【００２０】
これらの給紙カセット６１内に積層された記録用紙は、給紙ローラ６２の回転によって給紙通路側に送り出されていき、その給紙通路に設けられたレジストローラ５８のニップ部に突き当てられることによって適宜のタイミングをとられながら、上述した感光ドラム５１と対面する転写領域に送り込まれていく構成になされている。また、装置本体１から外方に張り出すようにして手差し給紙トレイ６３が設けられており、それらの各給紙機構６１，６３から延出する給紙搬送路が上述した感光ドラム５１と転写ローラ５５とが対向する転写領域に向かって上方側に延びている。
【００２１】
ここで、上述した画像読取装置３のプラテンガラス３２は、特に図２に示されているように、前述した原稿送り部（ＤＦ）３３ａの読取位置に対応して配置された流読プラテン部３２ａと、前記圧板３３ｂに対応して配置された固定読プラテン部３２ｂとを有しており、それらの流読プラテン部３２ａと固定読プラテン部３２ｂとの間に白色基準板３２ｃが配置されている。
【００２２】
上記白色基準板３２ｃの直下位置には、ホームポジションセンサ３１ｃが配置されており、上述したカラースキャナ（ＣＩＳユニット）３１に設けられたセンサフラグ３１ｄと合わせてカラースキャナ３１のホームポジションが検出されるように構成されており、前記白色基準板３２ｃの直下位置にカラースキャナ３１が移動したときを原点位置として画像読取制御が行われるようになっている。
【００２３】
また、上記プラテンガラス３２に設けられた流読プラテン部３２ａの上方には、上述した原稿送り部（ＤＦ）３３ａの搬送ローラ３３ｃが配置されており、その搬送ローラ３３ｃが回転駆動されることによって流し読み（シートスルー）時における原稿の搬送が行われる構成になされている。
【００２４】
ここで、上述した搬送ローラ３３ｃは、流し読み（シートスルー）時に搬送される原稿の背景部材、すなわち本発明でいう照明背景体をなすように構成されており、前述したカラースキャナ（ＣＩＳユニット）３１の照射ランプ３１ａから原稿の開放反射表面及び搬送ローラ３３ｃの外周反射表面に走査光が照射され、それらの各反射表面から反射された走査光が、集光レンズ３１ｅを通してイメージセンサ（ＣＣＤ）３１ｂに受光されるようになっている。そして、前記イメージセンサ３１ｂには、Ｒ（赤）、Ｇ（緑）、Ｂ（青）の各色カラーフィルターが付設された各色ごとの受光ラインが設けられており、原稿の表面及び搬送ローラ３３ｃの外周反射表面をスキャンしたときのカラー画像のＲ（赤）、Ｇ（緑）、Ｂ（青）の色分解データが、上記イメージセンサ（ＣＣＤ）３１ｂから出力されるように構成されている。
【００２５】
このとき、前記原稿の照明背景体を構成している搬送ローラ３３ｃの外周反射表面は、色料の三原色のいずれか一色により着色されており、本実施形態では、明度及び彩度の高いイエロー（黄色）により着色されている。そのイエロー（黄色）に着色された搬送ローラ３３のマンセル値は、例えば色相（Ｈ）：１．０ＧＹ、明度（Ｖ）：１０．０、彩度：（Ｃ）１２．８以上の値となるように設定されているが、明度や彩度を具体的に設定しなくても、薄紙原稿を使用したときに裏から搬送ローラが透けて見える状態で走査光を反射可能とする程度の反射率を有すればよい。
【００２６】
そして、このようなイエローに着色された搬送ローラ３３ｃの外周反射表面からの反射光が、上述したカラー読取手段としてのカラースキャナ（ＣＩＳユニット）３１に受光されることにより読み取られて、例えば図３のような色分解データが得られる。すなわち、まず図３（Ａ）には、上述したプラテンガラス３２の流読プラテン部３２ａの読取位置にゴミや汚れ等の異物が存在していない場合に前記照明背景体としての搬送ローラ３３ｃの外周反射表面がスキャンされたときの色分解データの一例が表されている。この場合に読み取られた色分解データのうち、Ｒ（赤）及びＧ（緑）の輝度（縦軸）については２５５近くに維持されているのに対して、Ｂ（青）の輝度は１１０近くまで低下している。これは、Ｂ（青）が、上述した照明背景体を構成している搬送ローラ３３ｃの着色であるイエロー（黄色）と補色の関係となっているためである。
【００２７】
これに対して、前記プラテンガラス３２の流読プラテン部３２ａの読取位置にゴミや汚れ等の異物が存在している場合の色分解データは例えば図３（Ｂ）のようになる。すなわち、まず読取位置に黒い汚れ（以下において黒ゴミという。）が存在している場合には、図３（Ｂ）の横軸ａ地点のように、Ｒ（赤）、Ｇ（緑）、Ｂ（青）各色の色分解データは全て輝度が低下して黒側に片寄る。一方、読取位置に白い汚れ（以下において白ゴミという。）が、図３（Ｂ）の横軸ｂ地点のように存在している場合には、Ｒ（赤）、Ｇ（緑）についての輝度は２５５近くに維持されて、ほとんど差を生じることがないのに対して、Ｂ（青）は、補色でない白の色分解データを返すことから、Ｂ（青）に関する色分解データは輝度が上昇して白側に片寄る。
【００２８】
このような性質を利用して本実施形態では、前記プラテンガラス３２の流読プラテン部３２ａ上のゴミや汚れ等の異物を検知する変位領域識別手段がプログラムとして設けられている。すなわち、本実施形態の変位領域識別手段は、上述したカラースキャナ（カラー読取手段）３１によって読み取れられた搬送ローラ（照明背景体）３３ｃの外周反射表面に関するＲ（赤）、Ｇ（緑）、Ｂ（青）各色の色分解データのうち、当該搬送ローラ３３ｃの外周反射表面に着色されたイエロー（黄色）の補色に相当するＢ（青）の色分解データに基づいて、上述したプラテンガラス３２の流読プラテン部３２ａ上に付着した前記黒ゴミ又は白ゴミの検知が行われるようになっている。
【００２９】
より具体的には、画像読取装置３に原稿がセットされて、コピー、ＦＡＸ、スキャン等の読み取り指示を受け付けると、例えば図４に示されているような異物検知動作が開始される。すなわち、まずカラー読取手段としてのカラースキャナ（ＣＩＳユニット）３１が白色基準板３２ｃ直下のホームポジションに戻され、そこでシェーディング補正が行われた後（ステップ１）、照明背景体としての搬送ローラ３３ｃの直下の読取位置までカラースキャナ（ＣＩＳユニット）３１の移動が行われる（ステップ２）。そして、その状態から、上記搬送ローラ３３ｃの回転駆動が行われながら当該搬送ローラ３３ｃの外周反射表面の読み取りが行われ、それによって前記搬送ローラ３３ｃの外周反射表面についてのＲ（赤）、Ｇ（緑）、Ｂ（青）各色の色分解データが得られる。
【００３０】
次いで、このようにして得られた色分解データを用いて、上述したような黒ゴミ又は白ゴミの検知が行われ（ステップ３）、Ｂ（青）の色分解データに基づいて白ゴミが判別されるとともに、Ｒ（赤）及びＧ（緑）の色分解データに基づいて黒ゴミが判別される。そのときの判別手法としては、基準の色分解データと比較するものや、ゴミや汚れ等の異物と判断し得るような輝度値を予め設定しておく等の手法が採用される。そして、読み取られた色分解データが例えば図３（Ｂ）に表されたようなものであれば、図３（Ｂ）中の横軸ａ地点に相当する位置に黒ゴミが存在し、図３（Ｂ）ｂ地点に相当する位置に白ゴミが存在することになる。
【００３１】
このような変位領域識別手段による異物検知が行われることによってゴミや汚れ等の異物の存在が確認された場合には（ステップ４のＹｅｓ）、異物を補正する処理が実行される（ステップ５）。そのときの異物補正処理では、例えばデータ幅の算出等によって異物の大きさが判断され、基準大きさより大きい異物であると判断された場合には、読み取り停止後にユーザーに対して清掃要求が行われ、基準より小さい異物であった場合には周知の手法によって画像補正が行われる。
【００３２】
そして、上述したような異物検知及びその処理動作が終了したら、原稿の読み取りが開始されてコピー動作が実行される（ステップ７）。このとき、原稿が複数枚あった場合には（ステップ７のＮｏ）、１枚目が読み取られた後に紙間のタイミングで異物検知動作が繰り返され、それによって、原稿とともにプラテンガラス３２の流読プラテン部３２ａ位置まで搬送されて来たゴミや汚れ等の異物が検知される。
【００３３】
また、本実施形態にかかる変位領域識別手段は、前記プラテンガラス３２の流読プラテン部３２ａ上に搬送される原稿の端部を判別して原稿サイズを検知するプログラムを有している。すなわち、前述したように照明背景体を構成している搬送ローラ３３ｃの外周反射表面には、色料の三原色のいずれか一色である明度及び彩度の高いイエロー（黄色）による着色が施されているが、そのイエローに着色された搬送ローラ３３ｃにより搬送される原稿が、カラー読取手段としてのカラースキャナ（ＣＩＳユニット）３１により読み取られたときの色分解データは例えば図５のようになる。
【００３４】
すなわち、まず図５中の（Ａ）には、紙間等の非画像形成時において搬送ローラ３３ｃの外周反射表面が読み取られたときの色分解データが表されており、その読み取られた色分解データの輝度（縦軸）は、Ｒ（赤）及びＧ（緑）については２５５近くに維持されているのに対して、Ｂ（青）については、上述した照明背景体を構成している搬送ローラ３３ｃの着色であるイエロー（黄色）と補色関係となっているために輝度が１１０近くまで低下している。
【００３５】
より具体的には、画像読取装置３に原稿がセットされて、コピー、ＦＡＸ、スキャン等の読み取り指示を受け付けると、図６に示されている原稿端検知動作が開始され、まずカラー読取手段としてのカラースキャナ（ＣＩＳユニット）３１が、白色基準板３２ｃ直下のホームポジションに戻されてシェーディング補正が行われ（ステップ１）、その後に照明背景体としての搬送ローラ３３ｃ直下の読取位置まで移動される（ステップ２）。その状態から上記搬送ローラ３３ｃの回転駆動が行われ、当該搬送ローラ３３ｃにより搬送される原稿の読み取りが行われ（ステップ３）、それによって、原稿に関するＲ（赤）、Ｇ（緑）、Ｂ（青）各色の色分解データが得られる。
【００３６】
次いで、上述したようにして得られた色分解データを用いて原稿端の検知が行われることとなるが、そのとき読み取られた色分解データが図５（Ｂ）のような色分解データであった場合には、その図５（Ｂ）中の符号ａで示された中央領域が原稿に対応しているとともに、図５（Ｂ）中の符号ｂで示された両側領域は搬送ローラ３３ｃに対応したものとなっている。そして、これらの領域間には、特にＢ（青）の色分解データにおいて明らかに差異が生じており、搬送ローラ３３ｃと原稿との濃度差を検知することによって主走査方向の原稿幅が判断される（ステップ４）。
【００３７】
このようにして原稿端が検知されたら（ステップ５のＹｅｓ）、その得られた原稿端に対応したサイズに関する処理が実行され（ステップ６）、出力される色分解データがメモリに格納されてから、目的に応じて画像形成部やネットワークやモデムに出力されることによってコピー動作が行われる（ステップ７）。
【００３８】
一方、読み取られた色分解データが、図５（Ｃ）のような色分解データであった場合には、特にＢ（青）の色分解データに基づいて原稿の地色が搬送ローラ３３ｃと同色であると判断されることから、ユーザーに対して原稿サイズが認識されないこととなり（ステップ５のＮｏ）、そのことが例えば操作部に表示される。すなわち、ユーザーに原稿サイズを指定するように表示で促すとともに、指定が行われたら、その指定どおりに読み取り及び出力が実行される（ステップ８）。
【００３９】
このとき、原稿が複数枚の場合には（ステップ９のＮｏ）、１枚目が読み取られた後に紙間のタイミングでゴミ検知が繰り返され、それによって原稿とともにプラテンガラス３２の流読プラテン部３２ａまで搬送されて原稿サイズが検知される。
【００４０】
このように本実施形態によれば、プラテンガラス３２上の異物又は原稿端に対して、照明背景体としての搬送ローラ３３ｃの着色であるイエロー（黄色）の補色であるＢ（青）に関する色分解データが、その他のＲ（赤）及びＧ（緑）に関する色分解データと異なる輝度分布を呈することを利用した変位領域識別手段によって、異物検知及び原稿端検知が行われる。そして、そのときの照明背景体としての搬送ローラ３３ｃの外周反射表面が色料の三原色のいずれか一色という通常のゴミ等の異物や原稿の色とは異なる色で着色されているため、通常の異物や原稿であれば異物検知及び原稿端検知が迅速かつ正確に実行されることとなる。
【００４１】
次に、前述したカラースキャナ（ＣＩＳユニット）３１のイメージセンサ（ＣＣＤ）３１ｂが１ライン型の構成を有する場合の実施形態では、照明ランプ３１ａが、Ｒ（赤）、Ｇ（緑）、Ｂ（青）各色に順次点灯してカラー画像を読み取る方式、すなわち順次点灯方式によって、変位領域識別手段による異物検知動作又は原稿端部検知動作が行われる構成になされている。
【００４２】
図７には、そのような順次点灯方式によって読み取り動作を行う場合におけるプラテンガラス３２の流読プラテン部３２ａ（図２参照）の読取位置に対する異物検知動作の一例が表されており、原稿がセットされて、コピー、ＦＡＸ、スキャン等の読み取り指示を受け付けると、まずカラー読取手段としてのカラースキャナ（ＣＩＳユニット）３１が白色基準板３２ｃの下のホームポジションに戻され、そこでシェーディング補正が行われた後（ステップ１）、照明背景体としての搬送ローラ３３ｃの直下の読取位置までカラースキャナ（ＣＩＳユニット）３１の移動が行われる（ステップ２）。そして、その状態から、Ｒ（赤）、Ｇ（緑）、Ｂ（青）が順次点灯されることによって上記搬送ローラ３３ｃの外周反射表面が読み取られる。
【００４３】
そして、Ｂ（青）の点灯によって得られた色分解データから白ゴミが判別されるとともに（ステップ３）、Ｒ（赤）、Ｇ（緑）、Ｂ（青）の色分解データから黒ゴミが判別される（ステップ４）。そして、このような変位領域識別手段による異物検知が行われることによってゴミや汚れ等の異物の存在が確認された場合には（ステップ５のＹｅｓ）、異物を補正する処理が実行される（ステップ６）。そして、そのような異物検知及びその処理動作が終了したら、原稿の読み取りが開始されてコピー動作が実行され（ステップ７）、原稿が複数枚あった場合には（ステップ８のＮｏ）、１枚目が読み取られた後に紙間のタイミングで異物検知動作が繰り返され、原稿とともにプラテンガラス３２の流読プラテン部３２ａ位置まで搬送されて来たゴミや汚れ等の異物が検知される。
【００４４】
一方、図８は、順次点灯方式によって読み取り動作を行う場合におけるプラテンガラス３２の流読プラテン部３２ａ（図２参照）の読取位置に対する原稿端検知動作の一例を表したものであり、まずカラー読取手段としてのカラースキャナ（ＣＩＳユニット）３１が白色基準板３２ｃ直下のホームポジションに戻されてシェーディング補正が行われ（ステップ１）、その後に照明背景体としての搬送ローラ３３ｃ直下の読取位置まで移動される（ステップ２）。その状態から、Ｒ（赤）、Ｇ（緑）、Ｂ（青）が順次点灯されることによって上記搬送ローラ３３ｃにより搬送される原稿の読み取りが行われ（ステップ３）、それによって原稿に関するＲ（赤）、Ｇ（緑）、Ｂ（青）各色の色分解データが得られ、特にＢ（青）の色分解データに基づいて原稿端から原稿サイズの判別が行われる（ステップ４）。
【００４５】
このようにして原稿端が検知されたら（ステップ５のＹｅｓ）、その得られた原稿端に対応したサイズに関する処理が実行されて（ステップ６）、コピー動作が行われる（ステップ７）。一方、原稿の地色が搬送ローラ３３ｃと同色であると判断された場合には、ユーザーに対して原稿サイズが認識されないこととなり（ステップ５のＮｏ）、それに対応して指定がユーザーにより行われたら、その指定どおりに読み取り及び出力が実行される（ステップ８）。
【００４６】
このとき、原稿が複数枚の場合には（ステップ９のＮｏ）、１枚目が読み取られた後に紙間のタイミングでゴミ検知が繰り返され、それによって原稿とともにプラテンガラス３２の流読プラテン部３２ａまで搬送されて原稿サイズが検知される。このような実施形態においても上述した実施形態と同様な作用・効果が得られる。
【００４７】
以上、本発明者によってなされた発明の実施形態を具体的に説明したが、本発明は上述した実施形態に限定されるものではなく、その要旨を逸脱しない範囲で種々変形可能であることはいうまでもない。
【００４８】
例えば、上述した各実施形態では、流し読み時に用いられる搬送ローラにより照明背景体を構成しているが、固定読み時に使用される原稿押圧板により照明背景体を構成するように本発明を適用することも可能である。
【００４９】
また、その搬送ローラ等からなる照明背景体に対する着色は、色分解データのいずれか一つと補色関係になればよいことから、照明背景体の着色にマゼンダを採用した場合には、Ｇ（緑）の色分解データを使用して異物検知や原稿端検知を行えばよく、また照明背景体の着色にシアンを採用した場合には、Ｒ（赤）の色分解データを使用して異物検知や原稿端検知を行えばよい。
【００５０】
なお、照明背景体にマゼンタを着色する場合のマンセル値は、例えば色相（Ｈ）：７．３ＢＧ、明度（Ｖ）：５．０、彩度：（Ｃ）１０．０以上の値となるように設定され、照明背景体にシアンを着色する場合のマンセル値は、例えば色相（Ｈ）：７．３ＢＧ、明度（Ｖ）：９．０、彩度：（Ｃ）１０．０に以上の値となるように設定されるが、明度や彩度を具体的に設定しなくても、薄紙原稿を使用したときに裏から搬送ローラが透けて見える状態で走査光を反射可能とする程度の反射率を有すればよい。
【００５１】
さらに、上述した各実施形態は、複写機の画像読取装置に対して本発明を適用したものであるが、複写機以外のスキャナ等の画像読取装置や、その他の画像形成装置に対しても本発明は同様に適用することができる。例えば、上述した実施形態は、原稿を読み取る原稿読取装置に本発明を適用したものであるが、フイルム等の被記録材を読み取る画像読取装置に対しても本発明は同様に適用可能である。
【産業上の利用可能性】
【００５２】
以上述べたように本発明は、複写機やスキャナやファクシミリなどに用いられる多種多様な画像読取装置及びそれを用いた画像形成装置に対して広く適用することが可能なものである。
【図面の簡単な説明】
【００５３】
【図１】本発明を適用する画像形成装置の一例としての複写機の概要を表した縦断面説明図である。
【図２】図１に示された複写機に搭載されている画像読取装置の構造を拡大して表した縦断面説明図である。
【図３】図２に示された搬送ローラの外周反射表面を読み取った場合の色分解データの一例を表した線図である。
【図４】本発明の一実施形態における異物検知動作の流れを表したフローチャート図である。
【図５】図２に示された搬送ローラにより搬送される原稿を読み取った場合の色分解データの一例を表した線図である。
【図６】本発明の一実施形態における原稿端検知動作の流れを表したフローチャート図である。
【図７】本発明の他の実施形態における異物検知動作の流れを表したフローチャート図である。
【図８】本発明の他の実施形態における原稿端検知動作の流れを表したフローチャート図である。
【符号の説明】
【００５４】
１  装置本体
２  排紙部
３  画像読取装置
３１  カラースキャナ（カラー読取手段）
３１ａ  照明ランプ
３１ｂ  イメージセンサ（ＣＣＤ）
３１ｃ  ホームポジションセンサ
３１ｄ  センサフラグ
３１ｅ  集光レンズ
３２  プラテンガラス
３２ａ  流読プラテン部
３２ｂ  固定読プラテン部
３２ｃ  白色基準板
３３  自動原稿給紙ユニット（ＡＤＦ）
３３ａ  流し読み（シートスルー）用原稿送り部（ＤＦ）
３３ｂ  原稿押圧板
３３ｃ  搬送ローラ（照明背景体）
５  画像形成部（プリンタ部）
５１  感光ドラム
５２  帯電器
５３  レーザー発光器
５４  現像装置
５５  転写ローラ
５６  クリーニング装置
５７  定着器
５８  レジストローラ
６  給紙部
６１  給紙カセット
６３  手差し給紙トレイ
【図１】
2008113309.tif 000003
【図２】
2008113309.tif 000004
【図３】
2008113309.tif 000005
【図４】
2008113309.tif 000006
【図５】
2008113309.tif 000007
【図６】
2008113309.tif 000008
【図７】
2008113309.tif 000009
【図８】
2008113309.tif 000010